(57)【要約】  本発明の目的は、乾燥手段としてマイクロ波エネルギーを使用する、プレート形状の製品用特にファイバーボード用の多段型連続マイクロ波乾燥機を作製すること、および、ファイバーボードの最適の乾燥工程を可能にする事前の措置を講じることにある。この目的は、複数のロッドアンテナ（１２）を、連続マイクロ波乾燥機（１）の各搬送面の上部に配備すること、各搬送面上のベルトコンベア（６、７、８）を、ロッドアンテナに対する反射板として有効に作用し得る金属製の穿孔ベルトとして具現化すること、複数のロッドアンテナ（１２）間に、湿分含有空気吸引除去用の手段（１３ａ、１３ｂ）で、反射板として作用する手段（１３ａ、１３ｂ）を配置すること、および、湿分含有空気吸引除去用の手段を共通の負圧源に接続すること、によって達成される。
2008520951.tif 000002
【特許請求の範囲】
【請求項１】
プレート形状の製品用、特にファイバーボード用の多段型連続マイクロ波乾燥機であり、水分を含む第１のファイバーボードが第１段（３）の第１搬送面上において第１のコンベヤベルト（６）によって導かれ、水分を含む第２のファイバーボードが少なくとも１つの第２段（４）の少なくとも１つの搬送面上において導かれ、かつ同時にマイクロ波エネルギーに曝露され、該マイクロ波エネルギーは、水平面において軸方向に平行にかつ前記ファイバーボード（９）の搬送方向に対して横方向に配置される複数のロッドアンテナ（１２）で、中実または中空の材料からなるロッドアンテナ（１２）から前記ファイバーボード（９）に供給され、さらに、該ロッドアンテナは、エネルギー最大点を焦点合わせするために、連続マイクロ波乾燥機の搬送面に対して高さ調整装置によって調節可能である多段型連続マイクロ波乾燥機において、
前記複数のロッドアンテナを、連続マイクロ波乾燥機（１）の前記各搬送面の上部に配置し、前記各搬送面上のコンベヤベルト（６、７、８）を、前記ロッドアンテナに対する反射スクリーンとして作用し得る金属製の走行スクリーンとし、前記複数のロッドアンテナ（１２）間に、反射スクリーンとして作用する金属製の湿分含有空気吸引排除手段（１３ａ、１３ｂ）を配置し、前記湿分含有空気吸引排除手段（１３ａ、１３ｂ）を少なくとも１つの共通の負圧源に接続することを特徴とする多段型連続マイクロ波乾燥機。
【請求項２】
前記ロッドアンテナ（１２）を中空材料から製作して、該中空材料の空洞を冷却媒体の流路とすることを特徴とする請求項１に記載の連続マイクロ波乾燥機。
【請求項３】
前記各ロッドアンテナ（１２）の少なくとも一方の端部に、熱による伸びを補正するための緊張手段（２１）を設けることを特徴とする請求項１に記載の連続マイクロ波乾燥機。
【請求項４】
前記湿分含有空気吸引排除手段（１３ａ、１３ｂ）が、前記ファイバーボード（９）の方を向いた少なくとも１つの吸引開口（１３ａ’、１３ｂ’）を有するダクト状の構造物として形成され、前記コンベヤベルト（６、７、８）の全幅にわたって配置されることを特徴とする請求項１に記載の連続マイクロ波乾燥機。
【請求項５】
前記各手段（１３ａ、１３ｂ）が、連続マイクロ波乾燥機の内部において、前記各ロッドアンテナ（１２）の上部に、上方に付加的に閉じた空間（１４）が得られるような断面形状を有する請求項４に記載の連続マイクロ波乾燥機。
【請求項６】
前記ファイバーボード（９）を前乾燥するための対流乾燥機と組み合わせることを特徴とする請求項１に記載の連続マイクロ波乾燥機。
【請求項７】
前記ファイバーボード（９）を後乾燥するための対流乾燥機と組み合わせることを特徴とする請求項１に記載の連続マイクロ波乾燥機。
【請求項８】
前記ファイバーボード（９）の中心温度および反応温度を高めるために、第１および第２の対流乾燥機の間に配置することを特徴とする請求項１に記載の連続マイクロ波乾燥機。
【請求項９】
前記ファイバーボード（９）における水分含有を均等化するために、対流乾燥機の下流側に、前記ファイバーボード（９）の搬送方向に配置することを特徴とする請求項１に記載の連続マイクロ波乾燥機。
【発明の詳細な説明】
【技術分野】
【０００１】
本発明は、請求項１の前段の特徴による、プレート形状の製品用特にファイバーボード用の多段型連続マイクロ波乾燥機に関する。
【背景技術】
【０００２】
独国特許発明第３７  ３５  ２４２  Ｃ２号明細書は、建築ボード用、特にセッコウファイバーボードまたはセッコウチップボード用の乾燥装置を開示している。これらのボードを、以下、単にボードと呼称するが、この乾燥装置においては、ボードを乾燥用のコンベヤベルト上に載せ、熱を供給または発生させることによって、ボードに含まれる水分を抜き出す。この場合、乾燥操作は２段階に行われる。すなわち、対流乾燥機内で前乾燥し、高周波エネルギーで運転される乾燥機内で後乾燥が行われる。
【０００３】
対流乾燥機は多段型の乾燥機として構成され、上部および底部に配置された熱風ノズルがボードを確実に前乾燥する。
【０００４】
ボードの後乾燥に作用する装置は、第１および第２高周波帯を備えた高周波乾燥機から構成され、２つの高周波帯は結合部材によって連結される。高周波乾燥機内で用いられるボード搬送手段は、好ましくはガラス繊維のコンベヤベルトであり、このベルトは、高周波エネルギー伝達の間にボードに悪影響を及ぼさない。
【０００５】
乾燥装置通過後に検出されるボード内の残留水分は、通過速度を変更することによって、あるいは高周波電界の出力を調整することによって、一定に保持するべきである。
【０００６】
高周波乾燥機の構造、および乾燥工程中に発生する高周波乾燥機における湿分含有空気の吸収手段については、上記の文献は情報を全く提示していない。
【０００７】
さらに、独国特許出願公開第１０１  ５７  ６０１  Ａ１号明細書から、加熱装置、特にマイクロ波エネルギーによってプレス製品を前加温する装置が知られる。このマイクロ波前加温装置は、連続炉として構成される加熱室からなり、この加熱室において、相前後して配置されかつ反射スクリーンを備えたロッドアンテナから、マイクロ波がプレス製品へ供給される。ロッドアンテナは、加熱室の内部においてプレス製品の上側および／または下側に、水平にかつ生産方向に対して横方向に装着される。
【０００８】
ロッドアンテナは、それぞれ、プレス製品の反対側の面に反射面を有している。プレス製品は、コンベヤベルトに載せられて連続炉内を通過するが、このコンベヤベルトはプラスチック製である。
【０００９】
ここに開示されている装置は、プレス製品を加熱または前加温するためのものである。この場合、ファイバーボードに含まれる水分を抜き出すための装置は全く言及されていない。
【００１０】
さらにまた、「乾燥技術（Ｔｒｏｃｋｎｕｎｇｓｔｅｃｈｎｉｋ）」、第２巻、Ｋ．Ｋｒｏｅｌｌ著『乾燥機および乾燥法（Ｔｒｏｃｋｎｅｒ  ｕｎｄ  Ｔｒｏｃｋｎｕｎｇｓｖｅｒｆａｈｒｅｎ）』、第２版、シュプリンガー（Ｓｐｒｉｎｇｅｒ）出版、ｐ．４１６−４１８から、マイクロ波領域において作動する乾燥機が知られる。高周波のエネルギーが、マグネトロンとも呼称される高周波発生器から、導波管を通して被乾燥材料としてのファイバーボードに導かれる。
【００１１】
乾燥機を通過して動くファイバーボードの場合、均等に乾燥するためにエネルギーが比較的大きな面に吸収されなければならないとすると、導波管を屈曲した形態に構成することになる。この場合、導波管には水の流入部および流出部を設けることができる。
【００１２】
上記の非特許文献から、さらに、いわゆるマイクロ波コンベヤベルト乾燥機が知られる。コンベアベルトの上方に配置される共振器空間および乾燥空間の屋根部に複数のマグネトロンが装着され、それからマイクロ波エネルギーがこの空間内に放射される。この共振器空間および乾燥空間には空気の供給口およびは排出口が設けられる。この参考文献には、多段型のボード乾燥機におけるロッドアンテナの配置、ロッドアンテナの熱による伸びの補正、およびコンベヤベルトの型式については、全く情報が提示されていない。
【発明の開示】
【発明が解決しようとする課題】
【００１３】
上記の先行技術に基づいて、本発明の基本的な目的は、乾燥手段としてマイクロ波エネルギーを使用する、プレート形状の製品用特にファイバーボード用の多段型連続マイクロ波乾燥機を作製すること、および、ファイバーボード用の最適の乾燥工程を可能にする手段を提供することにある。
【課題を解決するための手段】
【００１４】
この目的は、本発明に従って、複数のロッドアンテナを、連続マイクロ波乾燥機の各搬送面の上部に配置し、各搬送面上のコンベヤベルトを、ロッドアンテナに対する反射スクリーンとして作用し得る金属製の走行スクリーンとし、ロッドアンテナ間に、反射スクリーンとして作用する湿分含有空気吸引排除手段を配置し、湿分含有空気吸引排除手段を共通の負圧源に接続することによって達成される。ロッドアンテナを中空材料から構成する場合には、その空洞を、冷却媒体が通過する流路とすることができる。
【００１５】
冷却されなければ、作動時間中にロッドアンテナは伸びる可能性がある。この伸びは、被乾燥材料からのアンテナの距離を変化させることになり、従って、マイクロ波のエネルギー最大点に調整された焦点合わせを変化させることになる。
【００１６】
このため、本発明によれば、別の実施形態において、各ロッドアンテナの少なくとも一方の端部に、熱による伸びを補正するための緊張手段で、ロッドアンテナの長手軸の方向に恒久的に作用する緊張手段を配置する方策が講じられる。
【００１７】
この場合、この緊張手段は、例えば機械型式のもの、すなわち例えば引張バネとすることができるが、空気作動する緊張装置も考えることができる。
【００１８】
本発明のさらに別の実施形態においては、本発明による連続マイクロ波乾燥機を、対流乾燥機と組み合わせて使用することもできる。この場合は、連続マイクロ波乾燥機をファイバーボードの前乾燥または後乾燥用として使用する。ファイバーボードの中心温度および反応温度を高めるために、さらに、連続マイクロ波乾燥機を第１および第２対流乾燥機の間に配置することができる。
【００１９】
本発明によって得られる利点は、本質的に、被乾燥ボード用の搬送手段として金属製の走行スクリーンを用いることによって、処理温度を高くしても搬送手段の有効稼動寿命に影響が及ぶことがないという点にある。
【００２０】
多段型の連続マイクロ波乾燥機においては、金属製の走行スクリーンを、マイクロ波を放射するロッドアンテナ用の反射スクリーンとして有利に作用させることが可能になる。
【００２１】
ロッドアンテナを使用して初めて、連続マイクロ波乾燥機を多段型に構成することができる。さらに、ロッドアンテナの使用は、乾燥機の各段において連続的に一様なエネルギーポテンシャルを実現し得るという有利な結果をもたらす。これは乾燥工程と最終製品の品質とに好影響を及ぼす。
【００２２】
さらに、各ロッドアンテナの上部に規定の空間を形成することによって、ファイバーボード上へのマイクロ波の最適の反射と、従って最適のエネルギー出力とが必然的に具現化される。
【００２３】
次に、実施例を参照しながら本発明をさらに詳しく説明する。
【発明を実施するための最良の形態】
【００２４】
図１に表現される連続マイクロ波乾燥機１は多段型に構成されている。ハウジング２内の各段３、４、５に、コンベヤベルト６、７、８が水平に導かれ、そのベルト６、７、８の上に被乾燥材料９、この場合はファイバーボードが載せられる。
【００２５】
コンベヤベルト６、７、８は、いわゆる金属製のエンドレス走行スクリーンであり、このそれぞれの走行スクリーンは、制御可能な回転速度の駆動装置（図示されていない）によって、矢印１０および１１の方向に連続的に動かされる。
【００２６】
被乾燥材料に供給されるマイクロ波エネルギーはいわゆるロッドアンテナ１２から放射される。このロッドアンテナ１２は、各段３、４、５において、被乾燥材料１０を搬送するそれぞれの走行スクリーン６、７、８から垂直方向に距離をおいて、被乾燥材料の上方に配置される。この場合、各ロッドアンテナ１２がマイクロ波エネルギー反射手段によって取り囲まれるように、ロッドアンテナを配置する。段５における第１の反射手段はハウジング頂部２の内面２ａであり、残りの段３および４においては、矢印１１の方向に戻る金属製の走行スクリーンである。
【００２７】
第２の反射手段は、湿分含有空気の吸引排除手段１３ａ、１３ｂの側壁の外側であり、その内の第１手段１３ａの側壁が、ロッドアンテナ１２の長手方向中心軸１２ａから距離をおいて片側に配置され（図３をも参照）、第２手段１３ｂの側壁が、前記長手方向中心軸１２ａのもう一方の側に配置される。
【００２８】
側壁の反射作用を顧慮すると、手段１３ａおよび１３ｂを、連続マイクロ波乾燥機１の段４に表現されているように、直角形とは異なる断面形状を有するように構成すれば有利である。単に、手段１３ａおよび１３ｂの反射側壁を鋭角にして鉛直に延ばして、ハウジング２の内面２ａおよび戻り方向に動く走行スクリーンが反射スクリーンとして作用しないようにすることも考えられる。
【００２９】
この場合は、手段１３ａ、１３ｂのそれぞれの面によって反射されるマイクロ波が短い行程で搬送材料に達するので、乾燥工程を有効に進捗させることができる。反射スクリーンのさらに別の形状を、図１の段４に示す。
【００３０】
図２は、連続マイクロ波乾燥機１の処理幅全面にわたるロッドアンテナ１２の配置を示す。
【００３１】
前進する各コンベヤベルト６、７、８上のそれぞれの段３、４、５に配置されるロッドアンテナ１２の自由端は、連続マイクロ波乾燥機のハウジング２の側壁を貫通して導かれ、それぞれ、ハウジング２に取り付けられる高周波発生器１５（マグネトロン）に作用連結される。
【００３２】
連続マイクロ波乾燥機１内において全段３、４、５にわたって垂直方向に延びる少なくとも１つの第１および第２の空気吸引ダクト１９、２０が少なくとも１つの共通負圧源（図示されていない）に接続配置され、その空気吸引ダクト１９、２０に、水平方向に延びる空気吸引ダクト１６、１７が合流する。各空気吸引ダクト１６、１７は、湿分含有空気吸引排除手段１３ａ、１３ｂの側方の開口に接続される。空気吸引ダクト１６、１７の吸引作用は、方向矢印１８によって明示される。
【００３３】
図３は、各段３、４、５において、被乾燥材料の移動方向に配置される複数のロッドアンテナ１２とその付属マグネトロン１５とを示す。
【００３４】
さらに、図３は、吸引開口１３ａ’、１３ｂ’を備えた湿分含有空気吸引排除手段１３ａ、１３ｂに始まる吸引空気の流路を明らかにしている。吸引開口１３ａ’、１３ｂ’は、水平に導かれる空気吸引ダクト１６、１７に合流し、この空気吸引ダクト１６、１７はまた垂直の空気吸引ダクト１９、２０に接続される。
【００３５】
図４は、ロッドアンテナ１２の配置の拡大図を示す。ロッドアンテナ１２は、連続マイクロ波乾燥機１の任意の段３、４、５において、湿分含有空気吸引排除用の第１および第２の手段１３ａ、１３ｂの間で垂直方向の位置調節可能性を備えている。各手段１３ａ、１３ｂは、コンベヤベルト６、７、８もしくはコンベヤベルト上に載せられた被乾燥材料９に対向する少なくとも１つのスリット状の空気吸引開口１３ａ’、１３ｂ’を有する。手段１３ａ、１３ｂの上方に、戻り方向に動く金属製のコンベヤベルト７、８が位置しており、このコンベヤベルト７、８は、ロッドアンテナ１２の方を向いている手段１３ａ、１３ｂの側面と同様に反射スクリーンとして作用する。
【００３６】
破線で描かれた手段１３ａ、１３ｂはこの手段の他の実施形態の形状を表しており、反射面が短い距離をもって配置され、ロッドアンテナ１２を反射スクリーンで有効に取り囲む特殊な形態を呈している。他の実施形態が図１に事例的に示されている。
【００３７】
図５は、図３のＸ部分の詳細を示す。当該ロッドアンテナ１２の自由端は、当該マグネトロン１５を貫通して延びており、熱による伸びを補正し得るようになっている。マグネトロン１５は、適切な手段によってかつ適切な位置において、連続マイクロ波乾燥機１のハウジング２に取り付けられる。
【００３８】
ここで、ロッドアンテナ１２の熱による伸びの補正は、マグネトロンに支持されるバネ２２からなる機械的緊張装置２１が、ケーシングに固定配置されるバネ弾性の曲がり金具２３に対して恒久的に作用することによって行われる。この曲がり金具２３にロッドアンテナ１２が適切な方法で結合される。
【図面の簡単な説明】
【００３９】
【図１】多段型連続マイクロ波乾燥機の概略断面図である。
【図２】図１の線Ｉ−Ｉに沿った多段型連続マイクロ波乾燥機の概略断面図である。
【図３】図２の「Ａ」から見た連続マイクロ波乾燥機の概略断面図である。
【図４】湿分含有空気吸引排除手段の概略断面図であって、その吸引排除手段の間に垂直方向に調節可能なロッドアンテナが配置される。
【図５】ロッドアンテナ用の機械的に作用する緊張装置の概略断面図である。
【図１】
2008520951.tif 000003
【図２】
2008520951.tif 000004
【図３】
2008520951.tif 000005
【図４】
2008520951.tif 000006
【図５】
2008520951.tif 000007
2008520951.tif 000008
【国際調査報告】
2008520951.tif 000009
2008520951.tif 000010
2008520951.tif 000011
2008520951.tif 000012
2008520951.tif 000013
2008520951.tif 000014
2008520951.tif 000015
2008520951.tif 000016